(57)【要約】【課題】  第２の筐体を第１の筐体に対して左右いずれの方向にも１８０°水平回転させて開閉させることのできる、携帯機器の開閉装置並びにこの開閉装置を用いた携帯機器を提供する。【解決手段】  上面に操作部を有する第１の筐体に対し、同じく上面にディスプレイ部を有する第２の筐体を互いに重なり合った状態から前記第２の筺体を前記第１の筐体に対し水平方向へ回転させて開閉させる携帯機器の開閉装置であって、この開閉装置を前記第１の筐体と前記第２の筐体の間に設けたアステロイド操作機構で構成することにより解決した。【選択図】        図５
2010263384.tif 000002
【特許請求の範囲】
【請求項１】
上面に操作部を有する第１の筐体に対し、同じく上面にディスプレイ部を有する第２の筐体を互いに重なり合った状態から前記第２の筺体を前記第１の筐体に対し水平方向へ回転させて開閉させる携帯機器の開閉装置であって、この開閉装置を前記第１の筐体と前記第２の筐体の間に設けたアステロイド操作機構で構成したことを特徴とする、携帯機器の開閉装置。
【請求項２】
前記第１の筐体の上面には、その上に重なり合う前記第２の筐体の下面と前記第１の筐体の操作部とが互いに接触しないようにするための突出部を設けたことを特徴とする、請求項１に記載の携帯機器の開閉装置。
【請求項３】
前記アステロイド操作機構を、枠状のベース部材と、このベース部材と係合して水平方向へ回転可能な回転円盤と、この回転円盤に設けた当該回転円盤の回転中心とは異なる位置に中心を設けた小径の内接円孔と係合して水平方向へ回転可能に設けた小径円盤と、この小径円盤に当該小径円盤の回転中心とは異なる位置に中心を設けた小円孔と係合する回転シャフトと、この回転シャフトと共に回転するように設けた制御部材と、この制御部材の両側部に設けた可動ストッパー部材と、前記回転円盤と前記回転シャフトの間に弾設されて弾性手段とで構成したことを特徴とする、請求項１に記載の携帯機器の開閉装置。
【請求項４】
前記ベース部材を前記第１の筐体の側へ、前記制御部材を前記第２の筐体の側へ取り付けたことを特徴とする、請求項３に記載の携帯機器の開閉装置。
【請求項５】
前記ベース部材には、その内側に９０°間隔で前記制御部材の突出部が嵌まり込むストッパー凹部を設けたことを特徴とする、請求項３に記載の携帯機器の開閉装置。
【請求項６】
前記ベース部材には、前記可動ストッパー部材と係合して前記制御部材の回転を制御する凸部を設けたことを特徴とする、請求項２に記載の、携帯機器の開閉装置。
【請求項７】
前記ベース部材は、前記第１の筐体に設けた取付凹部の中に取り付けられ、前記回転円盤は前記ベース部材と前記取付凹部の間に設けられていることを特徴とする、請求項４に記載の携帯機器の開閉装置。
【請求項８】
前記制御部材は、固定部材を介して前記第２の筐体の側に取り付けられることを特徴とする、請求項３に記載の携帯機器の開閉装置。
【請求項９】
請求項３乃至請求項８に各記載の開閉装置を第１の筐体と第２の筐体の間に設けたことを特徴とする、携帯機器。
【発明の詳細な説明】
【技術分野】
【０００１】
本発明は、携帯機器を構成する第１の筐体と第２の筐体との間に設けられる開閉装置並びにこの開閉装置を用いた携帯機器に関する。さらに詳しくは、第２の筐体が第１の筐体に対してアステロイド動作することによって、開閉動作を行うことのできる、携帯機器の開閉装置並びにこの開閉装置を用いた携帯機器を提供せんとするにある。
【背景技術】
【０００２】
従来、特許文献１に記載されているように、上面にキーボードなどの操作部を有する第１の筐体に対し、同じく上面にディスプレイ部を有する第２の筐体を互いに全面的に重なりあった状態から、第２の筐体を第１の筐体に対して前後方向にスライドさせて第１の筐体の操作部を露出させ、操作部の操作を可能にした上で、第２の筐体を第１の筐体に対して水平方向へ９０°回転させて第２の筐体のディスプレイ部を横長にしてみることができるように成した、開閉装置並びにこの開閉装置を用いた携帯機器が公知である。
【０００３】
また、特許文献２に記載されているように、上面にキーボードなどの操作部を有する第１の筐体に対し、下面にディスプレイ部を有する第２の筐体を互いに全面的に重なりあった状態から、第２の筐体を第１の筐体に対して縦方向に開いて第１の筐体の操作部を露出させ、操作部の操作を可能にした上で、第２の筐体を第１の筐体に対して縦方向の開閉方向と直交する方向の左右へ９０°回転させて第２の筐体のディスプレイ部を横長にしてみることができるように成した、開閉装置並びにこの開閉装置を用いた携帯機器も公知である。
【０００４】
第１の筐体の上面の一部を露出させて操作部を操作することができるように構成した開閉装置並びに開閉装置を用いた携帯機器が下記特許文献に記載されているように種々公知である。
【先行技術文献】
【特許文献】
【０００５】
【特許文献１】特開２００８−１０３９８９号公報
【特許文献２】特開２００８−２１９６０１号公報
【発明の概要】
【発明が解決しようとする課題】
【０００６】
上記特許文献１と２に各記載された開閉装置は、いずれも第２の筐体を第１の筐体に対してスライドさせるか、或は縦方向へ開閉させた上で第２の筐体を回転させるものであり、いずれもスライド装置、或は縦方向の開閉装置以外に第２の筐体の回転装置を必要とするものであり、２つの装置を必要とすることから、構造が複雑となり、製造コストが高くつくという問題があった。
【０００７】
本発明は上記に鑑みてなされたものであり、その目的とするところは、第２の筐体を第１の筐体に対して左右いずれの方向にも１８０°水平回転させて開閉させることのできる、携帯機器の開閉装置並びにこの開閉装置を用いた携帯機器を提供せんとするにある。
【課題を解決するための手段】
【０００８】
上記した目的を達成するために本発明は、上面に操作部を有する第１の筐体に対し、同じく上面にディスプレイ部を有する第２の筐体を互いに重なり合った状態から前記第２の筺体を前記第１の筐体に対し水平方向へ回転させて開閉させる携帯機器の開閉装置であって、この開閉装置を前記第１の筐体と前記第２の筐体の間に設けたアステロイド操作機構で構成したことを特徴とする。
【０００９】
その際に本発明は、前記第１の筐体の上面に重なり合う前記第２の筐体の下面と前記第１の筐体の操作部とが互いに接触しないようにするための突出部を設けたことを特徴とする。
【００１０】
本発明はさらに、アステロイド操作機構を、枠状のベース部材と、このベース部材と係合して水平方向へ回転可能な回転円盤と、この回転円盤に設けた当該回転円盤の回転中心とは異なる位置に中心を設けた小径の内接円孔と係合して水平方向へ回転可能に設けた小径円盤と、この小径円盤に当該小径円盤の回転中心とは異なる位置に中心を設けた小円孔と係合する回転シャフトと、この回転シャフトと共に回転するように設けた制御部材と、この制御部材の両側部に設けた可動ストッパー部材と、前記回転円盤と前記回転シャフトの間に弾設された弾性手段とで構成したことを特徴とする。
【００１１】
その際に本発明は、前記ベース部材を前記第１の筐体の側へ、前記制御部材を前記第２の筐体の側へ取り付けるものである。
【００１２】
本発明はさらに、前記ベース部材に、その内側に９０°間隔で前記制御部材の突出部が嵌まり込むストッパー凹部を設けたことを特徴とする。
本発明はまた、前記ベース部材に、前記可動ストッパー部材と係合して前記制御部材の回転を制御する凸部を設けたことを特徴とする。
【００１３】
本発明はさらに、前記ベース部材を、前記第１の筐体に設けた取付凹部の中に取り付け、前記回転円盤を前記ベース部材と前記取付凹部の間に設けることを特徴とする。
【００１４】
本発明はさらに、前記制御部材を、固定部材を介して前記第２の筐体の側に取り付けることを特徴とする。
【００１５】
そして本発明は、上記した各開閉装置を携帯機器の第１の筐体と第２の筐体の間に設けたことを特徴とする。
【発明の効果】
【００１６】
本発明は以上のように構成したので、簡単な構成で、第２の筐体を第１の筐体に対して、縦長と横長にさせることができた上で、第２の筐体が第１の筐体に対してアステロイド動作を行うことによって開閉されるので、このアステロイド動作に使用者の興味を惹かせることができるものである。
【図面の簡単な説明】
【００１７】
【図１】本願発明に係る携帯機器の１例である携帯電話機の斜視図である。
【図２】図１の状態から第２の筐体を第１の筐体に対して９０°時計回りに回転させた状態の平面図である。
【図３】図１の状態から第２の筐体を第１の筐体に対して９０°反時計回り回転させた状態の平面図である。
【図４】図２と図３の状態から第２の筐体を第１の筐体に対してさらに時計回りと反時計回りに９０°回転させた状態の平面図である。
【図５】本発明に係る開閉装置の分解斜視図である。
【図６】図１の状態における開閉装置の各部材の位置関係を示す平面図である。
【図７】図２の状態における開閉装置の各部材の位置関係を示す平面図である。
【図８】図７の状態から第２の筐体を第１の筐体に対してさらに時計回りに９０°回転させた状態における開閉装置の各部材の位置関係を示す平面図である。
【図９】図３の状態における開閉装置の各部材の位置関係を示す平面図である。
【図１０】図９の状態から第２の筐体を第１の筐体に対して反時計回りに９０°回転させた状態における開閉装置の各部材の位置関係を示す平面図である。
【図１１】ベース部材の斜視図であり、（ａ）は表面側から見た斜視図、（ｂ）は裏側から見た斜視図である。
【図１２】第１の筐体の操作部を省略して見た斜視図である。
【図１３】回転円盤の断面図である。
【図１４】ストッパー部材の斜視図である。
【図１５】回転シャフトを示す図であり、（ａ）はその斜視図、（ｂ）回転シャフトに対する各部材の取付状態を説明する説明図である。
【図１６】旋回シャフトを示す図であり、（ａ）はその正面図、（ｂ）は旋回シャフトに対する各部材の取付状態を説明する説明図である。
【図１７】小径円盤の断面図である。
【図１８】可動ストッパー部材の動作を説明するための説明図である。
【図１９】本発明に係る開閉装置のアステロイド動作を説明するための説明図である。
【発明を実施するための形態】
【００１８】
以下にこの発明の実施例を携帯機器の一種である携帯電話機に実施した場合について説明するが、本発明に係る開閉装置は、他にもポケット型コンピュータ、電子辞書、ＰＤＡ等の携帯機器にそのまま実施できる。
【実施例１】
【００１９】
図１乃至図１８は、この発明に係る携帯機器の開閉装置１並びにこの開閉装置１を用いた携帯電話機２を示す。図面によれば、携帯電話機２は、上面にキーボードのような操作部３ａを設けた第１の筐体３と、上面にディスプレイ部４ａを設けた第２の筐体４と、この第２の筐体４と第１の筐体３とを連結し、第１の筐体３の上面を第２の筐体４で覆う閉成状態から、第１の筐体３に対して第２の筐体４を水平方向の左右いずれの方向へも９０°回転させて、第２の筐体を横長に使用することができた上で、第２の筐体を第１の筐体に対してさらに９０、°回転させて第２の筐体を縦長に使用することができた上で、第１の筐体３の上面を露出させる開成状態を作り出すことのできるアステロイド操作機構５から成る開閉装置１とで構成されている。
【００２０】
第１の筐体３の上面に設けた取付凹部３ｂの角部の回りには、４個の円弧状を呈した第１突出部３ｃが設けられ、その手前側の端部上面にはやや湾曲した第２突出部３ｄが設けられている。これらの第１突出部３ｃと第２突出部３ｄは、第２の筐体４が第１の筐体３の上面を回転する際に、第２の筐体４の下面と第１の筐体３の上面に設けた操作部３ａとが互いに当らないようにするためのものである。尚、操作部３ａは、押釦式のキーボードの他に、表示画面に表示されたものを含み、ディスプレイ部は、液晶表示装置の他に、プラズマディスプレイ、ＥＬ、等の表示手段を含んでいる。
【００２１】
本発明に係る開閉装置１を構成するアステロイド操作機構５は、第１の筐体３の上部に設けた平面略４角形状を呈した取付凹部３ｂ内に収容されて取付ビス（図示せず）で取り付けた同じく略４角形状を呈した枠状のベース部材６と、このベース部材６と取付凹部３ｂとの間に水平方向へ回転可能に取り付けられた回転円盤７と、この回転円盤７の周縁近くに設けたところの回転円盤７より小径の円形孔７ａに回転可能に係合させて取り付けられた小径円盤８と、この小径円盤８の周縁近くに設けた小円形孔８ａに対し回転可能に係合させて設けた回転シャフト９と、第２の筐体４の裏面の中央部よりやや上端側に位置して取付ビス（図示せず）で取り付けた固定部材１０と、平面略菱形状を呈し固定部材１０の中央部に設けた軸支孔１０ｂと一緒にその中心部に設けた軸支孔１１ａを介して回転シャフト９に取り付けられ、その両端部に設けた取付孔１１ｅ、１１ｅに取り付けた旋回シャフト１２、１２を介して固定部材１０と共に回転するように設けられた制御部材１１と、この制御部材１１と回転シャフト９の間に弾設された弦巻バネから成る弾性手段１３と、制御部材１１の両端部に旋回シャフト１２、１２を介して回転可能に取り付けた一対の可動ストッパー部材１４、１４とで構成されている。
【００２２】
ベース部材６は、平面略４角形状を呈した枠状のもので、例えばＳＵＳ製であり、その中央部に平面略４角形状のガイド孔６ａが設けられ、このガイド孔６ａには、９０°間隔で４個のストッパー凹部６ｂ〜６ｅが設けられると共に、とくに図１１（ｂ）に示したように、その下面に回転円盤７を収容係合させる円形状の係合段部６ｆが設けられている。このベース部材６の上面の上端部側には、その角部近くに位置させて一対の凸部６ｇ、６ｈが設けられている。
【００２３】
回転円盤７は、例えばナイロン製であり、図１３に示したように、その外周部を縁取って丸リング状を呈した係合段部７ｂが設けられ、この係合段部７ｂは、とくに図１１に示したベース部材６の下面に設けた円形状の係合段部６ｆと係合して、ベース部材６に対して定位置で回転可能となるように形成されている。さらに、回転円盤７の円形孔７ａには段部７ｃが設けられると共に、回転円盤７の中央部には、固定シャフト１５を取り付ける取付孔７ｄが設けられている。
【００２４】
小径円盤８は、とくに図５と図１７に示したように、その外周近くに設けた段部８ｂ付きの小円形孔８ａを有し、外周に丸リング状を呈した係合段部８ｃを設けた例えばナイロン製の円盤であり、回転円盤７の円形孔７ａの縁部に設けた係合段部７ｂとその係合段部８ｃを係合させ、回転円盤７に対して回転可能に係合されている。
【００２５】
回転シャフト９は、とくに図１５（ａ）と（ｂ）に示したように、小径の軸部９ａの略中央部に大径部９ｂと中径部９ｃからなるフランジ部９ｄを設けたもので、その中心部軸方向には、導電ケーブル（図示せず）を通す挿通孔９ｅが設けられている。そして、図１５（ｂ）に示したように、フランジ部９ｄの大径部９ｂと中径部９ｃには、小型円盤８の段部８ｂが係合しており、中径部９ｃにはさらに弾性手段１３の他端部１３ｂが取り付けられている。さらに、この中径部９ｃ側の軸部９ａには、制御部材１１と固定部材１０が重ね合わされて取り付けられている。
【００２６】
固定部材１０は、例えばＳＵＳ製であり、旋回シャフト１２、１２を介して制御部材１１を第２の筐体４側へ取り付けるもので、そのための取付孔１０ａ、１０ａを有し、平面略矩形状を呈している。この固定部材１０は、制御部材１１を直接第２の筐体の側へ取り付けた場合には、省略が可能である。但し、この固定部材１０があると、制御部材の取付状態が安定するという利点を有する。
【００２７】
制御部材１１は、例えばＳＵＳ製であり、正面視凸形状にプレス加工されたもので、両端部に取付孔11ｅ、11ｅを設けた取付部11ｂ、11ｂを有し、その縁部中央ぶに外方向へ突出させて設けた突出部１１ｃを、その回転角度（実施例では０°、９０°、１８０°）によってベース部材６の内側に設けた第１〜第４のストッパー凹部６ｂ〜６ｅと順次係合するように構成されている。
【００２８】
旋回シャフト１２は、図１６（ａ）と（ｂ）小径の軸部１２ａの略中央部に大径のフランジ部１２ｂと中径のフランジ部１２ｃがリング状の収溝１２ｆを挟んで設けられており、軸部１２ａの両端部にはかしめ用穴１２ｄ、１２ｅが設けられている。そして、とくに図１６（ｂ）に示したように、中径のフランジ部１２ｃの下側の部分には、制御部材１１の端部が取り付けられ、軸部１２ａの上側の部分には、可動ストッパー部材１４と固定部材１０が重ね合わされて取り付けられている。
【００２９】
弾性手段１３は、上述したように弦巻バネを用いており、その一端部１３ａを回転円盤７の中心位置に取り付けた固定シャフト１５へ回転可能に取り付け、他端部１３ｂを上述したように、回転シャフト９のフランジ部９ｄの中径部９ｃへ回転可能に取り付けている。この弾性手段１３は、弦巻バネ以外に他の偏平スネークスプリング、その他のバネやスプリングに代えることは可能である。
【００３０】
一対の可動ストッパー部材１４は、とくに図１４にその一つを示したように、取付孔１４ａと変形頭部１４ｂと尾部１４ｃを有する平面おたまじゃくし形状を呈したもので、変形頭部１４ｂには、当接部１４ｄ、１４ｅが設けられ、この当接部１４ｄ、１４ｅがとくに図１８に示したように、制御部材１１の旋回角度により、当該段部１１ｄと当接して、９０°の範囲で回転するようになっている。
【００３１】
次に、上述した開閉装置１の動作について説明する。
【００３２】
まず、図１と図６に示したように、第１の筐体３に対して第２の筐体４が閉じられて閉成状態にあって、互いに完全に重なり合った状態においては、制御部材１１の突出部１１ｃがベース部材６の第１ストッパー凹部６ｂと係合しており、回転シャフト９と、小径円盤８と回転円盤７の３つの中心軸は、図１９に示したように一直線上にある。この閉成状態を弾性手段１３の弾力で維持させているので、第２の筐体４を第１の筐体３に対して左右いずれかの回転方向へ力を加えない限り、この閉成状態を安定的に保っている。そして、とくに図６に示したように、制御部材１１の両端部の可動ストッパー部材１４、１４は、その当接部１４ｄ、１４ｄを制御部材１１の当接段部１１ｄ、１１ｄに当接させその尾部１４ｃ、１４ｃを上側に向けた状態にある。尚、この可動ストッパー部材１４の９０°範囲の回転は、第２の筐体４が時計方向か反時計方向へ１８０°回転する時、共に回転する制御部材１１の回転によって、可動ストッパー部材１４のどちらかの尾部１４ｃがベース部材６の凸部６ｇ、６ｈに当って回転することによってなされ、尾部１４ｃの湾曲凹部側と湾曲凸部側がその回転方向により凸部６ｇ、６ｈと係合することにより、時計方向、反時計方向のいずれの方向にあっても、１８０°以上の回転が規制されることになる。
【００３３】
この閉成状態から第２の筐体４を第１の筐体３に対して例えば水平方向で時計回りの方向へ押すと、第２の筐体４は、回転シャフト９を支点に水平方向の時計方向へ回転するが、その際に回転シャフト９の回転につれて図１９に示したように小径円盤８が時計方向へ偏心回転を行ない、この偏心回転により回転円盤７は反時計方向へ偏心回転を行うことから、回転シャフト９の回転は定位置回転ではなく、図１９に示したようなアステロイド曲線を描いて回転移動することになる。そして、図２と図７に示した９０°の回転角度で、回転シャフト９、及び小径円盤８は一回転して閉成時の位置に戻り、回転円盤７は９０°回転することになる。さらに、制御部材１１の突出部１１ｃが、図７に示したように、ベース部材６の第２ストッパー凹部６ｃへ落ち込むと共に、弾性手段１３によってその位置を保持されるので、図２と図７に示したように第２の筐体４は第１の筐体３に対して９０°の回転角度で安定停止する。この第２の筐体４の９０°の回転角度で、第２の筐体４に設けたディスプレイ部４ａを横長に用いることができる。
【００３４】
次に、第１の筐体３に対し時計回りに９０°回転させた第２の筐体４をさらに時計回りの方向へ押すと、第２の筐体４は回転シャフト９を中心として回転を始め、同時に小径円盤８と回転円盤７も上述したように回転することになる。第２の筐体４の第１の筐体３に対し回転角度が全閉成位置の０°から１８０°近くになると、９０°の回転時と同じようにして元位置に戻り、制御部材１１の突出部１１ｃが第３ストッパー凹部６ｄ内へ落ち込み、この状態を回転シャフト９に作用させた弾性手段１３の弾力により維持することになる。この時、可動ストッパー部材１４の一方のものは、その尾部１４ｃをベース部材６に設けた凸部６ｇに当接して９０°回転しつつ当該凸部のと係合することになるので、この１８０°以上の同一方向への回転は阻止される。
【００３５】
次に、第２の筐体４が第１の筐体３に対して９０°或は１８０°水平方向へ回転した状態から元位置に戻す場合には、第２の筐体４を第１の筐体３に対して逆方向の反時計方向へ押すことにより、回転シャフト９と小径円盤８と回転円盤７は、先ほどとは逆の方向へ回転して、第２の筐体４は元位置に戻ることになる。
【００３６】
次に、第２の筐体４を第１の筐体３に対して反時計方向へ回転させた場合にも、回転シャフト９と小径円盤８と回転円盤７は、第２の筐体４の時計方向の回転時とは逆方向へ水平回転して９０°、及び１８０°開かれることになる。そして、９０°の回転時には、制御部材１１の突出部１１ｃが第４ストッパー部６ｅに落ち込み、１８０°回転時には、第３ストッパー部６ｄへ落ち込むことになる。但し、この反時計方向の回転時には、可動ストッパー部材１４の他方のものが、先述したもう一方の可動ストッパー部材１４の動作とその回転方向は異なる同じ動作を行って、１８０°以上の反時計方向の回転を阻止する。この１８０°の回転角度から元位置に戻る動作もその方向が変わるのみで同じであるので説明を省略する。
【００３７】
以上のように、第２の筐体４の第１の筐体３に対する時計方向或は反時計方向の回転時には、回転シャフト９と回転円盤７は９０°、１８０°と回転するが、小径円盤８はその度毎に３６０°回転するように、その取付位置が定められていることから、回転シャフト９の回転軌跡は図１９に示したように、アステロイド曲線を描くことになる。
【産業上の利用可能性】
【００３８】
本発明は以上のように構成したので、第１の筐体に対して第２の筐体を互いにほぼ完全に重なり合った状態から、第２の筐体を第１の筐体に対して左右いずれの方向へも水平方向へ９０°及び１８０°回転させて第１の筐体の上面を露出させることができるので、右利きの人も左利きの人も開閉操作し易いことから、上面にキーボード部のような操作部を設けた第１の筐体と、同じく上面にディスプレイ装置を設けた第２の筐体とから成る携帯電話機、電子辞書、ポケット型コンピュータ、ＰＤＡ等の携帯機器の開閉装置並びにこの開閉装置を用いた携帯機器として利用することができる。
【符号の説明】
【００３９】
１  開閉装置
２  携帯機器
３  第１の筐体
３ａ  操作部
３ｂ  取付凹部
３ｃ  第１隆起部
３ｄ  第２隆起部
４  第２の筐体
４ａ  ディスプレイ装置
５  取付ビス
６  ベース部材
６ａ  ガイド孔
６ｂ〜６ｅ  ストッパー凹部
６ｆ  係合段部
７  回転円盤
７ａ  内接円形孔
８  小径円盤
８ａ  内接小円形孔
９  回転シャフト
１０  固定部材
１１  制御部材
１２  旋回シャフト
１３  弾性手段／弦巻バネ
１４  ストッパー部材
１５  固定シャフト
【図１】
2010263384.tif 000003
【図２】
2010263384.tif 000004
【図３】
2010263384.tif 000005
【図４】
2010263384.tif 000006
【図５】
2010263384.tif 000007
【図６】
2010263384.tif 000008
【図７】
2010263384.tif 000009
【図８】
2010263384.tif 000010
【図９】
2010263384.tif 000011
【図１０】
2010263384.tif 000012
【図１１】
2010263384.tif 000013
【図１２】
2010263384.tif 000014
【図１３】
2010263384.tif 000015
【図１４】
2010263384.tif 000016
【図１５】
2010263384.tif 000017
【図１６】
2010263384.tif 000018
【図１７】
2010263384.tif 000019
【図１８】
2010263384.tif 000020
【図１９】
2010263384.tif 000021